(57)【要約】【課題】貨幣の回収作業の発生頻度を減らすことができる貨幣処理機を提供する。【解決手段】貨幣処理機（１０）において、少なくともリサイクル式貨幣収納繰出部（２７、３４）は第１の管理権限下にあり、貨幣収納部（４０）は第１の管理権限下とは異なる第２の管理権限下にある。制御部１５は、貨幣収納部（４０）からの貨幣の回収を可能とする回収処理の指令が制御部（１５）に対してなされたときに、リサイクル式貨幣収納繰出部（２７、３４）に収納された貨幣を貨幣収納部（４０）へ引き渡す引渡処理を行い、その後回収処理を行うよう、貨幣リサイクル処理部（２０、３０）および貨幣収納部（４０）の制御を行う。【選択図】図２Ａ
2010224605.tif 000002
【特許請求の範囲】
【請求項１】
貨幣を処理する貨幣処理機において、
筐体と、
前記筐体の外部から内部に貨幣を投入するための投入口と、
前記投入口に接続され、貨幣の搬送を行う搬送部と、
前記搬送部に接続され、搬送されてきた貨幣を収納する貨幣収納部と、
前記搬送部に接続され、搬送されてきた貨幣を収納するとともに、この収納した貨幣を前記搬送部に繰り出すリサイクル式貨幣収納繰出部と、
前記搬送部、前記貨幣収納部および前記リサイクル式貨幣収納繰出部の制御を行う制御部と、
を備え、
少なくとも前記リサイクル式貨幣収納繰出部は第１の管理権限下にあり、前記貨幣収納部は前記第１の管理権限下とは異なる第２の管理権限下にあり、
前記制御部は、前記貨幣収納部からの貨幣の回収を可能とする回収処理の指令が前記制御部に対してなされたときに、前記リサイクル式貨幣収納繰出部に収納された貨幣を前記貨幣収納部へ引き渡す引渡処理を行い、その後前記回収処理を行うよう、前記貨幣収納部、前記搬送部および前記リサイクル式貨幣収納繰出部の制御を行うことを特徴とする貨幣処理機。
【請求項２】
前記引渡処理において前記リサイクル式貨幣収納繰出部から前記貨幣収納部に引き渡される貨幣の金額または金種毎の枚数である貨幣引渡量は、前記制御部により設定されることを特徴とする請求項１記載の貨幣処理機。
【請求項３】
前記制御部は、前記引渡処理が行われた後に前記リサイクル式貨幣収納繰出部に残されるべき貨幣の金額または金種毎の枚数である貨幣残置量に基づいて、前記貨幣引渡量を算出することを特徴とする請求項２記載の貨幣処理機。
【請求項４】
前記貨幣残置量は、予め設定された一定の値であることを特徴とする請求項３記載の貨幣処理機。
【請求項５】
前記貨幣残置量は、前記引渡処理が行われる前において前記リサイクル式貨幣収納繰出部に収納されている貨幣の在高に基づいて算出されることを特徴とする請求項３記載の貨幣処理機。
【請求項６】
前記貨幣引渡量は、予め設定された一定の値であることを特徴とする請求項２記載の貨幣処理機。
【請求項７】
前記貨幣引渡量は、前回の引渡処理が行われてから今回の引渡処理が行われるまでに前記筐体の外部から内部に取り込まれた貨幣の金額または金種毎の枚数に基づいて算出されることを特徴とする請求項２記載の貨幣処理機。
【請求項８】
前記貨幣引渡量は、前記引渡処理が行われる前において前記リサイクル式貨幣収納繰出部に収納されている貨幣の在高に基づいて算出されることを特徴とする請求項２記載の貨幣処理機。
【請求項９】
前記貨幣引渡量は、前記貨幣収納部が収納可能な容量に基づいて算出されることを特徴とする請求項２記載の貨幣処理機。
【請求項１０】
前記貨幣引渡量は、予め指定された金種およびこの金種の在高に基づいて算出されることを特徴とする請求項２記載の貨幣処理機。
【請求項１１】
前記貨幣引渡量は、高額金種を優先するよう設定されることを特徴とする請求項２記載の貨幣処理機。
【請求項１２】
前記制御部は、前記引渡処理を行っている最中に前記貨幣収納部が貨幣で満杯となったときに、前記引渡処理を終了して前記回収処理を行うことを特徴とする請求項１乃至１２のいずれか一項に記載の貨幣処理機。
【請求項１３】
前記制御部は、前記引渡処理を行っている最中に前記貨幣収納部が貨幣で満杯となったときに、前記引渡処理を中断して前記回収処理を行い、その後前記引渡処理を引き続いて行うことを特徴とする請求項１乃至１２のいずれか一項に記載の貨幣処理機。
【発明の詳細な説明】
【技術分野】
【０００１】
本発明は、店舗等において売上金等の貨幣の入金処理、釣銭等の貨幣の出金処理、および回収業務を行う収集業者へ売上金等の貨幣を引き渡す引渡処理等を行う貨幣処理機に関する。なお、本明細書における「貨幣」は紙幣であっても硬貨であってもよい。
【背景技術】
【０００２】
従来より、店舗等において売上金等の貨幣の入金処理、釣銭等の貨幣の出金処理、および回収業務を行う収集業者へ売上金等の貨幣を引き渡す引渡処理等を行う貨幣処理機が知られている。このような貨幣処理機は、貨幣の収納を行う貨幣収納部と、筐体の外部から内部に取り込まれた貨幣を一時的に収納するとともに、この収納された貨幣または筐体の外部から内部に取り込まれた貨幣を貨幣収納部に送ったり筐体の外部に返却したりする貨幣リサイクル処理部と、を備えている。貨幣リサイクル処理部に収納された貨幣（上部の貨幣）と、貨幣収納部に収納された貨幣（下部の貨幣）の管理権限は区別されており、前者の管理権限は貨幣処理機に対して入金処理や出金処理を行う店舗側にあり、後者の管理権限は貨幣処理機から紙幣の回収を行う収集業者の収集特定者側にある。よって、貨幣処理機の上部の貨幣に対する入金処理、出金処理、引渡処理等の操作や、上部の貨幣の入出金情報や在高データへのアクセスは店舗側の権限のある操作者のみが行うことができ、一方、貨幣処理機の下部の貨幣の回収は収集業者の収集特定者のみが行うことができる。ここで、在高データとは、貨幣処理機に収納されている貨幣の金種毎の枚数または合計金額、もしくは金種毎の金額のデータのことをいう。このような貨幣処理機としては、例えば特許文献１に開示されるものが知られている。
【０００３】
特許文献１には、貨幣入出金処理システムにおいて、入出金機が、現金を収納し入出金が可能なリサイクル収納部と、現金を収納するカセット収納部とを備えていることが開示されている。より詳細に説明すると、リサイクル収納部は店舗が管理し、カセット収納部は売上金の回収業務を委託された収集業者が管理するようになっている。入出金機に投入された現金はリサイクル収納部に収納されるようになっている。そして、リサイクル収納部からカセット収納部に現金を送ることにより、店舗側から収集業者側に現金が引き渡される。ここで、リサイクル収納部に収納された現金は釣銭準備金として管理され、一方、カセット収納部に収納された現金は売上金として管理されるようになっている。
【０００４】
特許文献１に開示される貨幣入出金処理システムにおいては、店舗側の店員等の操作者が入出金機に対して現金の入金処理を行うと現金はリサイクル収納部に収納され、入出金機に対して現金の出金処理を行うとリサイクル収納部から現金が筐体の外部に繰り出されるようになっている。また、店舗側の店員等の操作者が入出金機に対して引渡処理を行うと、リサイクル収納部からカセット収納部に現金が送られる。カセット収納部に現金が収納されると、その現金は、売上金の回収業務を委託された収集業者の収集特定者に引き渡されたこととなる。入出金機に対する引渡処理は、概して、店舗のマネージャー等、店舗側の特定の権限を有する者が行うようになっている。また、収集業者の収集特定者が入出金機に対して現金の回収処理の指令を行うと、カセット収納部内のカセットが取り出し可能となり、収集特定者は現金を回収することができるようになる。
【０００５】
前述の回収処理は、収集業者側の管理権限下にある現金を入出金機から取り出す処理であるため、店舗側の操作者は回収処理を行うことができない。また、引渡処理は、店舗側の管理権限下にある現金に関する処理であるため、収集業者の収集特定者は引渡処理を行うことができない。このように、操作する人の所属や権限により、実行することができる処理に制限がある。
【０００６】
一般的に、収集業者の収集特定者が入出金機から現金を回収する作業は、例えば３日に一回等、決まったスケジュールに従って行われる。ここで、予定されたある回収作業と次の回収作業の間の期間に、引渡処理された現金によってカセット収納部の紙幣カセットまたは硬化カセットの少なくとも一方が満杯になると、収集業者の収集特定者に臨時の現金の回収作業を依頼する必要がある。しかしながら、このような臨時の現金の回収作業は有料であり、追加の料金が発生してしまうという問題がある。このため、このような臨時の現金の回収作業ができるだけ発生しないことを望んでいる店舗がある。
【０００７】
一方、臨時の現金の回収作業が発生してしまうことを望んでいない収集業者もある。より具体的に説明すると、一般的に、収集業者の収集特定者による現金の回収作業は、複数の回収対象に関して順番や時刻等の予め定められたスケジュールに沿って行われている。このため、臨時の現金の回収作業が発生してしまうと、このスケジュールの変更が必要となる。また、臨時の現金の回収作業が発生した場所が、当日に現金の回収作業が予定されている場所から遠く離れている場合には、臨時の現金の回収作業のために新たに別の収集特定者を派遣しなければならないこともあり、時間や費用の観点から効率が悪いという問題がある。このようなデメリットがあるため、上述のような追加の料金を受け取ることができたとしても、臨時の現金の回収作業の発生を望んでいない収集業者もある。
【先行技術文献】
【特許文献】
【０００８】
【特許文献１】特開２００２−３１２８３３号公報
【発明の概要】
【発明が解決しようとする課題】
【０００９】
臨時の現金の回収作業の発生頻度は、上述のような定期的な現金の回収作業の際に、できるだけ多くの現金の回収処理を行うことで低くすることができる。すなわち、現金の回収処理の直前に現金の引渡処理を行い、リサイクル収納部内にある余分な現金をカセット収納部に移すことができると、臨時の現金の回収作業の発生頻度を低くすることができる。このためには、収集業者の収集特定者による現金の回収作業の際に、店舗側のマネージャー等の特定の権限を有する操作者が現金の引渡処理を行う必要がある。なぜならば、収集業者の収集特定者には現金の引渡処理を行う権限がないからである。
【００１０】
しかしながら、収集業者の収集特定者による現金の回収作業は日中に行われることが多く、他の業務の都合等により店舗側のマネージャー等の特定の権限を有する操作者が常に対応できるとは限らない。また、マネージャー等の特定の権限を有する操作者が常駐していない店舗では対応することができない。
【００１１】
本発明は、このような点を考慮してなされたものであり、貨幣収納部からの貨幣の回収を可能とする回収処理の指令が制御部に対してなされたときに、貨幣の引渡処理を行い、その後貨幣の回収処理を行うようになっているので、店舗の店員等の第１の管理権限を有する者が貨幣処理機に対して操作を行わずとも、収集業者の収集特定者の第２の管理権限を有する者が貨幣処理機に対して操作を行うだけで、できるだけ多くの貨幣を貨幣収納部から回収することができ、このことにより、貨幣の回収作業の発生頻度を減らすことができる貨幣処理機を提供することを目的とする。
【課題を解決するための手段】
【００１２】
本発明の貨幣処理機は、貨幣を処理する貨幣処理機において、筐体と、前記筐体の外部から内部に貨幣を投入するための投入口と、前記投入口に接続され、貨幣の搬送を行う搬送部と、前記搬送部に接続され、搬送されてきた貨幣を収納する貨幣収納部と、前記搬送部に接続され、搬送されてきた貨幣を収納するとともに、この収納した貨幣を前記搬送部に繰り出すリサイクル式貨幣収納繰出部と、前記搬送部、前記貨幣収納部および前記リサイクル式貨幣収納繰出部の制御を行う制御部と、を備え、少なくとも前記リサイクル式貨幣収納繰出部は第１の管理権限下にあり、前記貨幣収納部は前記第１の管理権限下とは異なる第２の管理権限下にあり、前記制御部は、前記貨幣収納部からの貨幣の回収を可能とする回収処理の指令が前記制御部に対してなされたときに、前記リサイクル式貨幣収納繰出部に収納された貨幣を前記貨幣収納部へ引き渡す引渡処理を行い、その後前記回収処理を行うよう、前記貨幣収納部、前記搬送部および前記リサイクル式貨幣収納繰出部の制御を行うことを特徴とする。
【００１３】
このような貨幣処理機においては、貨幣収納部は第１の管理権限下とは異なる第２の管理権限下にあり、貨幣収納部に収納された貨幣をこの貨幣収納部から回収するような回収処理は第２の管理権限を有する収集業者の収集特定者により行われるようになっている。ここで、上述のような貨幣処理機においては、貨幣の回収処理の指令が制御部に対してなされたときに、貨幣の引渡処理を行い、その後貨幣の回収処理を行うようになっている。このように、貨幣の回収処理の指令が制御部に対してなされたときにまず貨幣の引渡処理が自動的に行われるので、店舗の店員等の第１の管理権限を有する者が貨幣処理機に対して操作を行わずとも、収集業者の収集特定者の第２の管理権限を有する者が貨幣処理機に対して操作を行うだけで、貨幣の引渡処理を行うことができる。そして、貨幣の回収処理を行う前に貨幣の引渡処理を行うことができるので、貨幣の回収処理を行う直前での時点における貨幣収納部に収納される貨幣の量を多くすることができ、できるだけ多くの貨幣を貨幣収納部から回収することができる。このことにより、貨幣の回収作業の発生頻度を減らすことができる。
【００１４】
本発明の貨幣処理機においては、前記引渡処理において前記リサイクル式貨幣収納繰出部から前記貨幣収納部に引き渡される貨幣の金額または金種毎の枚数である貨幣引渡量は、前記制御部により設定されることが好ましい。
【００１５】
この場合、前記制御部は、前記引渡処理が行われた後に前記リサイクル式貨幣収納繰出部に残されるべき貨幣の金額または金種毎の枚数である貨幣残置量に基づいて、前記貨幣引渡量を算出するようになっていてもよい。
【００１６】
この際に、前記貨幣残置量は、予め設定された一定の値であってもよい。
【００１７】
あるいは、前記貨幣残置量は、前記引渡処理が行われる前において前記リサイクル式貨幣収納繰出部に収納されている貨幣の在高に基づいて算出されるようになっていてもよい。
【００１８】
また、前記貨幣引渡量は、予め設定された一定の値であってもよい。
【００１９】
また、前記貨幣引渡量は、前回の引渡処理が行われてから今回の引渡処理が行われるまでに前記筐体の外部から内部に取り込まれた貨幣の金額または金種毎の枚数に基づいて算出されるようになっていてもよい。
【００２０】
また、前前記貨幣引渡量は、前記引渡処理が行われる前において前記リサイクル式貨幣収納繰出部に収納されている貨幣の在高に基づいて算出されるようになっていてもよい。
【００２１】
また、前記貨幣引渡量は、前記貨幣収納部が収納可能な容量に基づいて算出されるようになっていてもよい。
【００２２】
また、前記貨幣引渡量は、予め指定された金種およびこの金種の在高に基づいて算出されるようになっていてもよい。
【００２３】
また、前記貨幣引渡量は、高額金種を優先するよう設定されるようになっていてもよい。
【００２４】
また、前記制御部は、前記引渡処理を行っている最中に前記貨幣収納部が貨幣で満杯となったときに、前記引渡処理を終了して前記回収処理を行うようになっていてもよい。  
【００２５】
また、前記制御部は、前記引渡処理を行っている最中に前記貨幣収納部が貨幣で満杯となったときに、前記引渡処理を中断して前記回収処理を行い、その後前記引渡処理を引き続いて行うようになっていてもよい。
【発明の効果】
【００２６】
本発明の貨幣処理機によれば、貨幣の回収作業の発生頻度を減らすことができる。
【図面の簡単な説明】
【００２７】
【図１Ａ】本発明の一の実施の形態における貨幣処理システムの構成を示すブロック図である。
【図１Ｂ】本発明の一の実施の形態における貨幣処理システムの他の構成を示すブロック図である。
【図２Ａ】図１Ａや図１Ｂに示す貨幣処理システムにおける貨幣処理機を示す斜視図である。
【図２Ｂ】図２Ａに示す貨幣処理機において、貨幣収納部を筐体から引き出したときの状態を示す斜視図である。
【図３Ａ】図２Ａに示す貨幣処理機における紙幣処理装置の構成の概略を示す概略構成図である。
【図３Ｂ】図２Ａに示す貨幣処理機における硬貨処理装置の構成の概略を示す概略構成図である。
【図４】図２Ａに示す貨幣処理機における制御ブロック図である。
【図５】図２Ａに示す貨幣処理機における貨幣の回収作業の動作の一例を示すフローチャートである。
【発明を実施するための形態】
【００２８】
以下、図面を参照して本発明の一の実施の形態の貨幣処理機について説明する。本実施の形態に係る貨幣処理機は、収集特定者側に管理権限がある貨幣収納部と、店舗側に管理権限がある貨幣リサイクル処理部とを１つの筐体内に有するものである。
【００２９】
本実施の形態に係る貨幣処理機は、硬貨および紙幣からなる貨幣の補充処理、納金処理、出金処理、引渡処理、大量引渡処理、両替処理、逆両替処理、精査処理、計数処理、締め処理、回収処理（警備回収処理）等を行う機能を有するものである。図１乃至図５は、本発明の一の実施の形態における貨幣処理システムの構成を示す図である。このうち、図１Ａは、本実施の形態の貨幣処理システムの構成を示すブロック図であり、図１Ｂは、本実施の形態における貨幣処理システムの他の構成を示すブロック図である。また、図２Ａは、図１Ａや図１Ｂに示す貨幣処理システムにおける貨幣処理機を示す斜視図であり、図２Ｂは、図２Ａに示す貨幣処理機において、貨幣収納部を筐体から引き出したときの状態を示す斜視図である。また、図３Ａは、図２Ａに示す貨幣処理機における紙幣処理装置の構成の概略を示す概略構成図であり、図３Ｂは、図２Ａに示す貨幣処理機における硬貨処理装置の構成の概略を示す概略構成図である。また、図４は、図２Ａに示す貨幣処理機における制御ブロック図である。また、図５は、図２Ａに示す貨幣処理機における貨幣の回収作業の動作の一例を示すフローチャートである。
【００３０】
図１Ａに示すように、本実施の形態の貨幣処理システムは、店舗内に設置された貨幣処理機１０と、この貨幣処理機１０からそれぞれ隔離して店舗外に設けられた現金センター１３およびデータセンター１４とを備えている。現金センター１３およびデータセンター１４には、それぞれ中央制御装置が設置されている。以下の記載において、現金センター１３やデータセンター１４とは、それぞれ中央制御装置を意味している。貨幣処理機１０にはコントローラ１２が設けられており、このコントローラ１２は現金センター１３に有線または無線により通信接続されており、現金センター１３に対して信号の送受信を行うようになっている。このことにより、コントローラ１２を介して現金センター１３から貨幣処理機１０に対して遠隔操作を行うことができるようになっている。ここで、コントローラ１２は貨幣処理機１０に対して例えばＬＡＮ等により接続される通信制御装置や端末、もしくは、貨幣処理機１０に内蔵された通信部等である。
【００３１】
また、図１Ａに示すように、現金センター１３とデータセンター１４とは有線または無線により互いに通信接続されており、現金センター１３とデータセンター１４との間で様々なデータの送受信が行われるようになっている。このため、貨幣処理機１０からコントローラ１２を介して現金センター１３に送られた、貨幣処理機１０における紙幣や硬貨等の貨幣の処理状況に係る情報はデータセンター１４にも送られるようになっている。本発明においては、現金センター１３およびデータセンター１４にそれぞれ中央制御装置が設けられている。しかしながら、中央制御装置はこのような例に限定されることはなく、例えば現金センター１３のみ、あるいはデータセンター１４のみに設けられていてもよい。
【００３２】
また、図１Ａに示すように、店舗には１または複数のキャッシュレジスタ１８が設けられている。なお、図１Ａでは２つのキャッシュレジスタ１８が店舗に設けられた例を示しているが、店舗に３つ以上のキャッシュレジスタ１８が設けられていてもよく、あるいは１つのキャッシュレジスタ１８のみが店舗に設けられるようになっていてもよい。各キャッシュレジスタ１８は、それぞれ店舗側の管理権限下（第１の管理権限下）にあり、これらのキャッシュレジスタ１８は店舗の店員等が操作するようになっている。キャッシュレジスタ１８における釣銭準備金は、貨幣処理機１０から出金された貨幣が店員等によってキャッシュレジスタ１８に補充されるようになっている。
【００３３】
本実施の形態の貨幣処理システムの構成は図１Ａに示すようなものに限定されることはなく、代わりに図１Ｂに示すようなものとすることもできる。図１Ｂに示すような貨幣処理システムは、貨幣処理機１０と、この貨幣処理機１０からそれぞれ隔離して店舗外に設けられた現金センター１３およびデータセンター１４とを備えている点では図１Ａに示す貨幣処理システムと略同一の構成となっているが、この貨幣処理機１０に設けられるコントローラ１７は機能の拡張性の高いコントローラとなっている。
【００３４】
コントローラ１７は、現金センター１３およびデータセンター１４にそれぞれ有線または無線により通信接続されており、現金センター１３およびデータセンター１４に対してそれぞれ信号の送受信を行うようになっている。
【００３５】
図１Ｂに示す貨幣処理システムにおけるコントローラ１７は機能の追加が可能であり、プリンタ１７ａ、カードリーダ１７ｂ、スキャナー１７ｃをそれぞれ接続することができるようになっている。プリンタ１７ａは、貨幣処理機１０における紙幣や硬貨等の貨幣の処理状況に係る情報等を印刷するよう構成されている。また、カードリーダ１７ｂは、貨幣処理機１０に備えているカードリーダに加えて接続でき、操作者が携帯しているＩＤカードのＩＤ情報を読み取るよう構成されている。そして、コントローラ１７に入力された操作者のＩＤ情報に係る信号により、操作者の識別が行われるようになっている。また、スキャナー１７ｃは、紙幣の記番号やバーコード等を撮像するよう構成されている。また、このコントローラ１７はルーターとしての機能も有している。
【００３６】
また、コントローラ１７には操作者のパーソナルコンピュータ１７ｄを接続することも可能となっている。この場合、コントローラ１７に接続されたパーソナルコンピュータ１７ｄにより操作者が貨幣処理機１０の操作を行うことができることとなる。また、このパーソナルコンピュータ１７ｄは、後述するデータセンター１４とも送受信可能とすることができるようになっている。
【００３７】
また、図１Ｂに示す貨幣処理システムでも、図１Ａに示す貨幣処理システムと同様に、店舗には１または複数のキャッシュレジスタ１８が設けられている。
【００３８】
次に、図１Ａや図１Ｂに示す貨幣処理機１０の構成の詳細について図２乃至図４を用いて説明する。
【００３９】
図２Ａに示すように、貨幣処理機１０は略直方体形状の筐体１１を備えており、この筐体１１には、貨幣処理機１０を前方から見て上部右側に配置された紙幣処理装置２０と、貨幣処理機１０を前方から見て上部左側に配置された硬貨処理装置３０とがそれぞれ設けられている。また、貨幣処理機１０の筐体１１において、紙幣処理装置２０および硬貨処理装置３０の下方には、硬貨および紙幣の収納を行う貨幣収納部４０が設けられている。ここで、貨幣処理機１０のうち、紙幣処理装置２０および硬貨処理装置３０は店舗側の管理権限下（第１の管理権限下）にあり、貨幣収納部４０は収集特定者側の管理権限下（第２の管理権限下）にある。
【００４０】
以下、紙幣処理装置２０、硬貨処理装置３０および貨幣収納部４０の各構成要素について説明する。
【００４１】
まず、紙幣処理装置２０の構成について図２Ａおよび図３Ａを用いて説明する。図２Ａおよび図３Ａに示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図３Ａに示すように、紙幣処理装置２０の内部には、紙幣投入口２１に投入された紙幣を紙幣処理装置２０内で搬送する搬送部２５が設けられている。
【００４２】
紙幣投入口２１は、操作者により１または束状態の複数の紙幣が短手方向に一括して投入されるよう構成されている。図２Ａに示すように、この紙幣投入口２１には紙幣ステージ２８が配設されている。紙幣ステージ２８は、待機時には上昇位置にありこの際には操作者は紙幣投入口２１に紙幣を投入することができず、一方、紙幣の処理時には下降して操作者が紙幣投入口２１に紙幣を投入することができるように構成されている。また、図３Ａに示すように、紙幣投入口２１は搬送部２５に接続されており、紙幣投入口２１に投入された１または束状態の複数の紙幣は、１枚ずつ搬送部２５で搬送されるようになっている。また、紙幣リジェクト口２２は、図３Ａに示すように搬送部２５に接続されており、紙幣投入口２１により紙幣処理装置２０内に取り込まれた紙幣のうち後述する識別部２６によりリジェクトすべき紙幣であると識別された紙幣や識別部２６で識別することができなかった紙幣が搬送部２５から送られるようになっている。操作者はこの紙幣リジェクト口２２に送られた紙幣を取り出すことができるようになっている。
【００４３】
紙幣返却口２３には、図３Ａに示すように、搬送部２５に接続された紙幣保留部２９が設けられている。この紙幣保留部２９には、搬送部２５から紙幣が送られるようになっている。また、紙幣返却口２３には開閉可能な扉２４が設けられている。紙幣保留部２９にある紙幣を返却する場合には、紙幣保留部２９の装置前面側の壁面が開いて、操作者は扉２４から紙幣を取り出すことができるようになっている。扉２４は、紙幣の取り出しが可能な状態になれば、自動的に開くようになっている。なお、後述のように、紙幣保留部２９内に保留された紙幣は、操作者により紙幣返却口２３から取り出される代わりに、貨幣収納部４０内に配置された紙幣収納カセット４１（後述）に送られる場合もある。
【００４４】
搬送部２５は、紙幣処理装置２０の内部で紙幣を１枚ずつ順次搬送する機能を有している。具体的には、搬送部２５において、紙幣は一対のベルト間に挟まれて搬送路に沿って搬送されるようになっている。また、図３Ａに示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。また、搬送部２５には、当該搬送部２５で搬送される紙幣の識別を１枚ずつ行う識別部２６が介設されている。この識別部２６は、搬送部２５で搬送される紙幣の金種、真偽、正損等を識別するようになっている。識別部２６による紙幣の識別結果は後述する制御部１５に送られるようになっている。
【００４５】
紙幣処理装置２０の内部には、リサイクル式紙幣収納部２７が複数（例えば３つ）並列に設けられている。ここで、複数のリサイクル式紙幣収納部２７ａ〜２７ｃは、概して金種毎に紙幣を一時的に収納するようになっている。図３Ａに示すように、各リサイクル式紙幣収納部２７は、正逆両方向に回転可能なドラム２７ｐをそれぞれ有しており、各ドラム２７ｐに一対のテープが巻き取られるようになっている。搬送部２５から各リサイクル式紙幣収納部２７に送られた紙幣は、この一対のテープの間に挟まれた状態で１枚ずつ順次ドラム２７ｐにより巻き取られて収納される。また、ドラム２７ｐを逆転させると、巻き取られた紙幣が１枚ずつ搬送部２５に送られる。なお、各リサイクル式紙幣収納部２７は、上述のような、ドラム２７ｐおよび一対のテープからなり紙幣が一対のテープの間に挟まれた状態でこの一対のテープごとドラム２７ｐにより巻き取られるような構成に限定されることはなく、他の構成とすることもできる。例えば、各リサイクル式紙幣収納部２７をスタッカ式（積層式）のものとしてもよい。
【００４６】
紙幣保留部２９は、前述のように紙幣返却口２３に設けられており、図３Ａに示すように搬送部２５に接続されている。この紙幣保留部２９には、紙幣投入口２１に投入された紙幣や、各リサイクル式紙幣収納部２７に収納された紙幣が搬送部２５により送られるようになっており、搬送部２５から送られた紙幣を束状態で複数保留することができるようになっている。図３Ａに示すように、紙幣保留部２９には一時保留板２９ａおよび押さえ部材２９ｂが設けられている。ここで、紙幣保留部２９にある紙幣を返却する場合には、前述のように、紙幣保留部２９の装置前面側の壁面が開いて、操作者は扉２４から紙幣を取り出すことができるようになっている。扉２４は、紙幣の取り出しが可能な状態になれば、自動的に開くようになっている。また、紙幣保留部２９に紙幣が保留される際に、紙幣は一時保留板２９ａに載せられるようになっており、紙幣保留部２９にある紙幣を紙幣収納カセット４１に収納させる際には、この紙幣収納カセット４１に設けられたステージ４１ａが紙幣保留部２９の一時保留板２９ａに載せられた紙幣を迎えにいき、一時保留板２９ａが図３Ａの矢印方向に退避することにより紙幣をステージ４１ａ上に載せて紙幣保留部２９から紙幣収納カセット４１へ下降し、そしてステージ４１ａ上の紙幣を上から押さえ部材２９ｂで押さえて紙幣収納カセット４１へ収納するようになっている。
【００４７】
次に、硬貨処理装置３０の構成について図２Ａおよび図３Ｂを用いて説明する。図２Ａおよび図３Ｂに示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクトを行ったり、硬貨処理装置３０内に取り込まれた硬貨のうち貨幣収納部４０に収納されない硬貨を硬貨処理装置３０の外部に返却したりする硬貨返却口３２とを備えている。また、図３Ｂに示すように、硬貨処理装置３０の内部には、硬貨投入口３１に投入された硬貨を硬貨処理装置３０内で搬送する搬送部３５が設けられている。
【００４８】
硬貨投入口３１は、操作者により１または複数の硬貨が一括して投入されるよう構成されている。この硬貨投入口３１に投入された硬貨は、硬貨処理装置３０の内部に送られるようになっている。硬貨返却口３２は、搬送部３５の下流側端部に接続されており、この搬送部３５から送られた硬貨を貯留するようになっている。操作者はこの硬貨返却口３２に貯留された硬貨を取り出すことができるようになっている。ここで、硬貨返却口３２には、前述のように、硬貨処理装置３０内に取り込まれた硬貨のうち後述する識別部３５ａにより識別不能な硬貨等が送られるとともに、硬貨処理装置３０内に取り込まれた硬貨のうち貨幣収納部４０に収納されない硬貨が送られるようになっており、このような硬貨が硬貨返却口３２により硬貨処理装置３０の外部に返却されるようになっている。
【００４９】
図３Ｂに示すように、硬貨処理装置３０の内部には硬貨繰出部３３が設けられている。この硬貨繰出部３３は硬貨投入口３１に連通しており、操作者により硬貨投入口３１から投入された硬貨を一時的に貯留するとともに、この貯留された硬貨を後述する搬送部３５に繰り出すようになっている。
【００５０】
搬送部３５は、硬貨処理装置３０の内部で硬貨を１枚ずつ順次搬送する機能を有している。図３Ｂに示すように、搬送部３５の上流側端部および下流側端部は、硬貨繰出部３３および硬貨返却口３２にそれぞれ接続されている。また、搬送部３５には、当該搬送部３５で搬送される硬貨の識別を１枚ずつ行う識別部３５ａが介設されている。この識別部３５ａは、搬送部３５で搬送される硬貨の金種や真偽等を識別するようになっている。識別部３５ａによる紙幣の識別結果は後述する制御部１５に送られるようになっている。
【００５１】
硬貨処理装置３０の内部には、筒状の上入れ上出しタイプのリサイクル式硬貨収納部３４が複数（例えば６つ）並列に設けられており、各リサイクル式硬貨収納部３４はそれぞれ鉛直方向に延びるようになっている。ここで、複数のリサイクル式硬貨収納部３４ａ〜３４ｆは、概して金種毎に硬貨を積層状態で一時的に収納するようになっている。
【００５２】
図３Ｂに示すように、搬送部３５の途中部分には、硬貨繰出部３３から下流側に向かって順に、間隔をおいて７つの選別孔３６が設けられている。ここで、７つの選別孔３６のうち最も上流側にある選別孔３６（オーバーフロー用の選別孔３６）は、搬送部３５から後述する横方向搬送部３８に直接硬貨を送るために設けられている。具体的には、最も上流側にある選別孔３６は、識別部３５ａによる硬貨の識別結果が所定の条件を満たしたときに（例えば、識別部３５ａにより識別された硬貨の金種に対応するリサイクル式硬貨収納部３４が満杯であったときに）、この硬貨を横方向搬送部３８上に送るようになっている。また、上流側から２番目〜７番目の選別孔３６は、それぞれ各リサイクル式硬貨収納部３４ａ〜３４ｆに対応するものである。
【００５３】
図３Ｂに示すように、鉛直方向にそれぞれ延びる各リサイクル式硬貨収納部３４の上部には、硬貨を一時的に保留する金種別硬貨一時保留部３９が設けられている。７つの選別孔３６のうち最も上流側にある選別孔３６以外の各選別孔３６を介して搬送部３５から落下した硬貨は、まず金種別硬貨一時保留部３９により一時的に保留されるようになっている。そして、この金種別硬貨一時保留部３９に保留された硬貨が各リサイクル式硬貨収納部３４に収納されるようになっている。また、この金種別硬貨一時保留部３９は投出部材を有しており、この投出部材により、金種別硬貨一時保留部３９に保留された硬貨を後述する横方向搬送部３８上に投げ出すこともできるようになっている。一方、各リサイクル式硬貨収納部３４内に収納された硬貨がこのリサイクル式硬貨収納部３４から取り出される場合には、まずリサイクル式硬貨収納部３４の下部に設けられたステージ（図示せず）が上方に持ち上げられ、ステージ上の硬貨が金種別硬貨一時保留部３９に送られ、そしてこの硬貨は金種別硬貨一時保留部３９の投出部材により横方向搬送部３８上に投げ出されるようになっている。
【００５４】
図３Ｂに示すように、硬貨処理装置３０の内部には硬貨保留部３７ａが設けられており、この硬貨保留部３７ａの上部にはシュート３７ｂが設置されている。ここで、後述する横方向搬送部３８からシュート３７ｂの上部に送られた硬貨は、当該シュート３７ｂ内を通過して硬貨保留部３７ａに送られるようになっている。硬貨保留部３７ａに一時的に保留された硬貨は、貨幣収納部４０内に配置された硬貨収納カセット４２（後述）に送られるようになっている。
【００５５】
図３Ｂに示すように、硬貨処理装置３０の内部において、鉛直方向にそれぞれ延びる各リサイクル式硬貨収納部３４の近傍には、例えば略水平方向に延びる循環ベルト３８ａを有する横方向搬送部３８が設けられている。循環ベルト３８ａは図３Ｂの時計回りおよび反時計回りの両方に循環移動可能となっている。また、横方向搬送部３８の一端は硬貨繰出部３３内に位置しており、横方向搬送部３８の他端はシュート３７ｂの上部の近傍に位置している。ここで、循環ベルト３８ａが図３Ｂにおける反時計回りに回転したときには、横方向搬送部３８上にある硬貨は硬貨繰出部３３に送られるようになっている。一方、循環ベルト３８ａが図３Ｂにおける時計回りに回転したときには、横方向搬送部３８上にある硬貨はシュート３７ｂに送られ、最終的には硬貨保留部３７ａで保留されることとなる。
【００５６】
次に、貨幣収納部４０の構成について図２Ａおよび図２Ｂを用いて説明する。図２Ａに示すように、貨幣収納部４０は、貨幣処理機１０の筐体１１の下部に設けられている。この貨幣収納部４０は、図３Ａおよび図３Ｂに示すように、紙幣を収納する紙幣収納カセット４１、および硬貨を収納する硬貨収納カセット４２を有している。紙幣収納カセット４１には、紙幣処理装置２０の紙幣保留部２９に保留された紙幣が収納されるようになっている（図３Ａ参照）。硬貨収納カセット４２には、硬貨処理装置３０の硬貨保留部３７ａに保留された硬貨が収納されるようになっている（図３Ｂ参照）。そして、図２Ｂに示すように、例えば売上金の回収業務を委託された収集業者の収集特定者によって、貨幣収納部４０が筐体１１の前面側へ引き出され、この収集特定者が各カセット４１、４２自体を貨幣収納部４０から回収するようになっている。
【００５７】
図２Ｂに示すように、紙幣収納カセット４１の上面にはシャッター４１ｃが設けられている。紙幣収納カセット４１が貨幣収納部４０に収容された状態でこの貨幣収納部４０が筐体１１内にセットされた後、特定の処理を行うときに、図示しない駆動装置によって駆動されてシャッター４１ｃは開いた状態となる。具体的には例えば、紙幣の引渡処理が行われるときにはシャッター４１ｃが開いた状態となっており、紙幣保留部２９から紙幣収納カセット４１に紙幣を送ることができる。引渡処理が終了すると、シャッター４１ｃは閉じた状態となる。一方、貨幣収納部４０が筐体１１から引き出されるときには、シャッター４１ｃは必ず閉じた状態となる。そして、紙幣収納カセット４１は錠を備えた図示しない扉を有し、鍵を持つ特定の権限を有する者でないと開くことができないようになっている。
【００５８】
図３Ａに示すように、貨幣収納部４０には貨幣収納部セット検知スイッチＳＷ１が設けられており、この貨幣収納部セット検知スイッチＳＷ１により、貨幣収納部４０が筐体１１にセットされたか否かが検知されるようになっている。また、貨幣収納部４０には紙幣収納カセットセット検知スイッチＳＷ２が設けられており、この紙幣収納カセットセット検知スイッチＳＷ２により、紙幣収納カセット４１が貨幣収納部４０にセットされたか否かが検知されるようになっている。
【００５９】
また、紙幣収納カセット４１のステージ４１ａの下面には遮光板４１ｂが下方に延びるよう取り付けられている。そして、紙幣収納カセット４１の近傍における貨幣収納部４０には、ステージ停止センサＰＳ１、紙幣フル検知センサＰＳ２、メカエンドセンサＰＳ３、および残留検知センサＰＳ４が設けられている。これらのセンサＰＳ１、ＰＳ２、ＰＳ３、ＰＳ４は光センサからなる。ここで、紙幣の引渡処理を行う際に、ステージ４１ａ上に紙幣が載置された後、ステージ停止センサＰＳ１がステージ４１ａ上にある紙幣により遮光された状態から透光状態となるまでステージ４１ａが降下することとなる。ここで、ステージ停止センサＰＳ１が遮光状態から透光状態となると、下方に移動しているステージ４１ａが停止する。この際に、ステージ４１ａに取り付けられた遮光板４１ｂにより紙幣フル検知センサＰＳ２が透光状態から遮光状態となった場合には、紙幣収納カセット４１において紙幣がフル状態であることが検出される。また、ステージ４１ａが下降して遮光板４１ｂがメカエンドセンサＰＳ３により検知された場合には、ステージ４１ａは強制的に停止させられるようになっている。また、ステージ４１ａが下降して遮光板４１ｂにより紙幣フル検知センサＰＳ２が透光状態から遮光状態となった場合に、残留検知センサＰＳ４が透光状態であるならば、カセットエンプティ（残留紙幣なし）が検出される。なお、ステージ４１ａ上に紙幣が残留している場合は、ステージ４１ａが下降して遮光板４１ｂにより紙幣フル検知センサＰＳ２が透光状態から遮光状態となった場合に、ステージ４１ａ上の紙幣により残留検知センサＰＳ４が遮光状態となる。
【００６０】
図２Ｂに示すように、硬貨収納カセット４２の上面にはシャッター４２ａが設けられている。硬貨収納カセット４２が貨幣収納部４０に収容された状態でこの貨幣収納部４０が筐体１１内にセットされたときに、シャッター４２ａは開いた状態となる。このため、硬貨の引渡処理が行われるときにはシャッター４２ａが開いた状態となっており、硬貨保留部３７ａから硬貨収納カセット４２に硬貨を送ることができる。一方、貨幣収納部４０が筐体１１から引き出されたときには、シャッター４２ａは閉じた状態となる。そして、硬貨収納カセット４２は錠を備えた図示しない扉を有し、鍵を持つ特定の権限を有する者でないと開くことができないようになっている。
【００６１】
図３Ａに示すように、貨幣収納部４０には硬貨収納カセットセット検知スイッチＳＷ３が設けられており、この硬貨収納カセットセット検知スイッチＳＷ３により、硬貨収納カセット４２が貨幣収納部４０にセットされたか否かが検知されるようになっている。また、硬貨収納カセット４２の近傍における貨幣収納部４０には、光センサからなる硬貨フル検知センサＰＳ５が設けられている。ここで、硬貨の引渡処理を行う際に、硬貨収納カセット４２に収納される硬貨が満杯となり、硬貨収納カセット４２に収納された硬貨によって硬貨フル検知センサＰＳ５が透光状態から遮光状態となった場合には、硬貨収納カセット４２において硬貨がフル状態であることが検出される。
【００６２】
ここで、前述のように、紙幣処理装置２０や硬貨処理装置３０は店舗側に管理権限（第１の管理権限）がある。一方、貨幣収納部４０は収集特定者側に管理権限（第２の管理権限）がある。このため、紙幣処理装置２０におけるリサイクル式紙幣収納部２７や、硬貨処理装置３０におけるリサイクル式硬貨収納部３４にある紙幣や硬貨に対する様々な処理や、この紙幣や硬貨の入出金情報や在高データへのアクセスは店舗側の権限のある操作者のみが行うことができる。一方、貨幣収納部４０にある紙幣や硬貨の回収は収集業者の収集特定者のみが行うことができる。
【００６３】
次に、貨幣処理機１０に設けられた他の様々な機構について説明する。図２Ａに示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。
【００６４】
また、筐体１１の前面には、貨幣処理機１０における貨幣の処理内容等を印字するプリンタ４３、および操作者の操作権限の確認を行うためのカードリーダ４６がそれぞれ設けられている。カードリーダ４６は、操作者が携帯するＩＤカードのＩＤ情報の読み取りを行うようになっている。
【００６５】
次に、貨幣処理機１０における各構成要素の制御を行う制御部１５について図４を用いて説明する。制御部１５は貨幣処理機１０の筐体１１内に設置されている。
【００６６】
図４に示すように、制御部１５には、紙幣処理装置２０の各構成要素（例えば、搬送部２５、識別部２６、リサイクル式紙幣収納部２７、紙幣ステージ２８、紙幣保留部２９、扉２４等）、硬貨処理装置３０の各構成要素（例えば、硬貨繰出部３３、搬送部３５、識別部３５ａ、横方向搬送部３８、金種別硬貨一時保留部３９を含むリサイクル式硬貨収納部３４、硬貨保留部３７ａ等）、貨幣収納部４０、表示部４４、操作部４５、プリンタ４３、カードリーダ４６、記憶部４７等が接続されている。また、制御部１５にはインターフェースを介してコントローラ１２（１７）が接続されている。
【００６７】
制御部１５には、紙幣処理装置２０の識別部２６による紙幣の識別結果や、硬貨処理装置３０の識別部３５ａによる硬貨の識別結果が送られるようになっている。また、制御部１５には、操作部４５からの入力やカードリーダ４６によりカードから読み取られた操作者のＩＤ情報等の情報が送られるようになっている。
【００６８】
また、制御部１５は、貨幣処理機１０の操作が行われる際は操作部４５やカードリーダ４６から入力された操作者のＩＤ情報等をもとに操作者の権限の確認を行う。また、制御部１５は、紙幣処理装置２０や硬貨処理装置３０の各構成要素を制御したり、表示部４４、プリンタ４３等を制御したりするようになっている。
【００６９】
現金センター１３またはデータセンター１４は、コントローラ１２（１７）を介して、貨幣処理機１０に対して当該貨幣処理機１０の各種処理に係る指令の信号を送信するようになっている。具体的には、現金センター１３は貨幣処理機１０に対して、締めコマンド、引渡コマンド、回収コマンド、納金コマンド、出金コマンド、補充コマンド、精算コマンド、両替コマンド、逆両替コマンド、枚数計数コマンド、リセットコマンド、確定コマンド、スタートコマンド、ロック解除コマンド、およびプログラムダウンロードコマンドからなる群のうち少なくとも１つのコマンドに係る信号を送信するようになっている。
【００７０】
また、現金センター１３またはデータセンター１４は、コントローラ１２（１７）を介して、貨幣処理機１０から当該貨幣処理機１０における貨幣の処理状況に係る情報の信号を受信するようになっている。具体的には、データセンター１４は、締めデータ、引渡データ、回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を貨幣処理機１０から受信するようになっている。
【００７１】
ここで、現金センター１３またはデータセンター１４は、コントローラ１２（１７）および制御部１５を介して、貨幣処理機１０の紙幣処理装置２０、硬貨処理装置３０および貨幣収納部４０のそれぞれに対して信号の送受信を行うようになっている。
【００７２】
次に、このような構成からなる貨幣処理機１０の動作について説明する。
【００７３】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。
【００７４】
インターフェース確認モードとは、貨幣処理機１０の初期状態において、すなわち貨幣処理機１０が導入された際に、インターフェースにより貨幣処理機１０が上位装置等に通信接続されるか否かを確認するためのモードである。このようなインターフェース確認モードにおいて、インターフェースにより貨幣処理機１０が上位装置等に通信接続されたときには、上位装置等から貨幣処理機１０に様々な設定データが送られる。
【００７５】
運用モードには、貨幣処理機１０が現金センター１３やデータセンター１４等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する補充処理、納金処理、出金処理、引渡処理、大量引渡処理、両替処理、逆両替処理、精査処理、計数処理等を行うことができる。また、この開店モードにおいては、例えば売上金の回収業務を委託された収集業者の収集特定者によって、貨幣収納部４０の各カセット４１、４２自体の回収を行うこともできる。一方、閉店モードにおいては、収集特定者による貨幣収納部４０の各カセット４１、４２の回収のみしか行うことができない。なお、これらの開店モードおよび閉店モードの切り換えは、時間帯等による自動での切り替えも可能である。一方、オフラインモードにおいては、現金センター１３やデータセンター１４等に対する情報の伝達は行われず、納金処理等の処理結果は貨幣処理機１０の記憶部４７に記憶されることとなる。上述の各モードの選択は、操作者が操作部４５により選択することができる。
【００７６】
保守メンテナンスモードの際に、保守員が貨幣処理機１０の紙幣処理装置２０や硬貨処理装置３０、貨幣収納部４０の各構成要素の保守メンテナンスを行う。このような保守メンテナンスは、貨幣処理機１０が設置された現場で行ってもよく、貨幣処理機１０を工場等に持ち帰ってこの工場内で行ってもよい。
【００７７】
上述した補充処理、納金処理、出金処理、引渡処理、大量引渡処理、両替処理、逆両替処理、精査処理、計数処理、締め処理、回収処理のうち、補充処理、納金処理、出金処理、引渡処理、締め処理、回収処理の各々の詳細について以下に説明する。なお、大量引渡処理、両替処理、逆両替処理、精査処理、計数処理については、本発明とは直接的には関係がないため説明を省略する。以下に示す各処理は、制御部１５が各構成要素を制御することにより行われる。また、後に詳述するように、以下に示す各処理は、操作者により操作部４５を介して制御部１５に対して各種の命令がなされることにより、あるいは現金センター１３またはデータセンター１４からコントローラ１２（１７）を介して制御部１５に対して各種の命令がなされることにより行われる。
【００７８】
＜補充処理＞
まず、紙幣や硬貨の補充処理について簡単に説明する。紙幣や硬貨の補充処理とは、紙幣を金種毎に紙幣処理装置２０の各リサイクル式紙幣収納部２７に補充したり、硬貨を金種毎に硬貨処理装置３０の各リサイクル式硬貨収納部３４に補充したりする処理のことをいう。補充処理が行われると、補充された紙幣や硬貨の金額または金種毎の枚数である貨幣補充量が日時や操作者ＩＤ等とともに補充データとして記憶部４７に記憶される。また、記憶部４７に記憶されている各リサイクル式紙幣収納部２７や各リサイクル式硬貨収納部３４に収納されている紙幣や硬貨の金額または金種毎の枚数である貨幣リサイクル部在高は、貨幣補充量が加算されて更新される。
【００７９】
＜納金処理＞
次に、紙幣や硬貨の納金処理について簡単に説明する。納金処理には、引渡連動形態のものと引渡非連動形態のものがある。引渡連動形態における納金処理とは、貨幣処理機１０に対して貨幣の納金を行い、そのまま後述する引渡処理が連続して実行されるモードのことをいう。具体的には、紙幣はリサイクル式紙幣収納部２７に一時保留し（納金）、その後、紙幣保留部２９に保留し、最後に紙幣収納カセット４１に収納させる（引渡）。また、硬貨は金種別硬貨一時保留部３９に保留し（納金）、その後、硬貨保留部３７ａに保留し、最後に硬貨収納カセット４２に収納させる（引渡）。そして、納金された紙幣や硬貨の金額または金種毎の枚数である貨幣納金量が日時や操作者ＩＤ等とともに引渡連動形態の納金データとして記憶部４７に記憶される。また、記憶部４７に記憶されている、貨幣収納部４０の紙幣収納カセット４１や硬貨収納カセット４２に収納されている紙幣や硬貨の金額または金種毎の枚数である貨幣収納部在高は、貨幣納金量が加算されて更新される。一方、引渡非連動形態における納金処理は、単に貨幣処理機１０に対して貨幣の納金のみが行われるモードのことをいう。この納金の後、貨幣納金量が日時や操作者ＩＤ等とともに引渡非連動形態の納金データとして記憶部４７に記憶され、貨幣リサイクル部在高は貨幣納金量が加算されて更新される。その後、貨幣収納部４０へ貨幣の引き渡しを行いたければ、独立して引渡処理（後述）を行うこととなる。なお、引渡連動形態および引渡非連動形態は、貨幣処理機１０の設置時に設定されるようになっている。
【００８０】
＜出金処理＞
次に、紙幣や硬貨の出金処理について簡単に説明する。紙幣や硬貨の出金処理とは、紙幣処理装置２０の各リサイクル式紙幣収納部２７に収納された紙幣を当該紙幣処理装置２０の外部に出したり、硬貨処理装置３０の各リサイクル式硬貨収納部３４に収納された硬貨を当該硬貨処理装置３０の外部に出したりする処理のことをいう。出金処理が行われると、出金された紙幣や硬貨の金額または金種毎の枚数である貨幣出金量が日時や操作者ＩＤ等とともに引渡連動形態の納金データとして記憶部４７に記憶される。また、貨幣リサイクル部在高は、貨幣出金量が減算されて更新される。
【００８１】
＜引渡処理＞
次に、紙幣や硬貨の引渡処理について説明する。ここで、紙幣や硬貨の引渡処理とは、紙幣処理装置２０の各リサイクル式紙幣収納部２７に収納された紙幣を貨幣収納部４０の紙幣収納カセット４１に送ったり、硬貨処理装置３０の各リサイクル式硬貨収納部３４に収納された硬貨を貨幣収納部４０の硬貨収納カセット４２に送ったりする処理のことをいう。このような引渡処理が行われると、各リサイクル式紙幣収納部２７や各リサイクル式硬貨収納部３４から貨幣収納部４０に送られた紙幣や硬貨の管理権限は第１の管理権限下（店舗側の管理権限下）から第２の管理権限下（収集特定者側の管理権限下）に変更される。そして、貨幣リサイクル部在高は、引渡処理が行われた紙幣や硬貨の金額や金種毎の枚数である貨幣引渡量分だけ減少し、一方、貨幣収納部在高は、引渡処理が行われた紙幣や硬貨の金額や金種毎の枚数である貨幣引渡量分だけ増加する。貨幣引渡量は、日時や操作者ＩＤ等とともに引渡データとして記憶部４７に記憶される。
【００８２】
上述のような引渡処理において、紙幣や硬貨が貨幣収納部４０に送られると、貨幣引渡量に相当する金額が、収集業者に関連する金融機関の口座から、店舗に関連する金融機関の口座に入金される。すなわち、店舗側からすれば、管理権限下ではなくなった紙幣や硬貨に相当する金額が、店舗に関連する金融機関の口座に入金されることとなる。
【００８３】
＜締め処理＞
次に、締め処理について簡単に説明する。操作者により操作部４５を介して制御部１５に対して締め命令がなされると、あるいは現金センター１３またはデータセンター１４からコントローラ１２（１７）を介して制御部１５に対して締め命令がなされると、対象期間内に、具体的には前回の締め処理から今回の締め処理までの間に、引渡処理によって紙幣収納カセット４１に収納された紙幣および硬貨収納カセット４２に収納された硬貨の金種毎の枚数または合計金額もしくは金種毎の金額のデータである締めデータを集計する。そして、この締めデータが中央制御装置に送信される。前述の口座への入金は、引渡処理の都度行ってもよく、あるいは、この締め処理時に、締めデータに基づいて、対象期間内の引渡処理の分をまとめて行ってもよい。
【００８４】
＜回収処理＞
次に、回収処理について説明する。収集業者の収集特定者により操作部４５を介して回収処理の指令が制御部１５に送られたとき、制御部１５は貨幣収納部４０の扉のロックを解除し、紙幣収納カセット４１と硬貨収納カセット４２とを取り出し可能とする。収集業者の収集特定者が、各カセットを取り出して代わりの空のカセットと交換して扉を閉じると、回収された紙幣や硬貨の金種毎の枚数または合計金額もしくは金種毎の金額のデータである回収データが中央制御装置に送信される。なお、このような回収処理の詳細については後述する。
【００８５】
収集業者の収集特定者による貨幣処理機１０の貨幣収納部４０からの貨幣の回収作業は、例えば３日に一回等、決まったスケジュールに従って行われる。しかしながら、予定されたある回収作業と次の回収作業の間の期間に、上述した引渡処理により各リサイクル式紙幣収納部２７や各リサイクル式硬貨収納部３４から貨幣収納部４０に紙幣や硬貨が引き渡されることによって、貨幣収納部４０の紙幣収納カセット４１や硬貨収納カセット４２の少なくとも一方が満杯になると、収集業者の収集特定者は決まった予定以外にも臨時で貨幣収納部４０からの貨幣の回収作業を有料で行うこととなる。前述のように、このような貨幣処理機１０の貨幣収納部４０からの臨時の貨幣の回収作業が発生してしまうことを望んでいない店舗や収集特定者がある。
【００８６】
以上の各処理は、納金処理の引渡連動態様の引渡処理を除き、操作部４５を操作して各処理を選択する等の必要な入力を行い、スタートキーを押下することにより開始される。また、補充処理、納金処理においては、取消キーが押下できるタイミングで確定キーを押下すると、処理が確定して終了する。
【００８７】
あるいは、前述のように、現金センター１３またはデータセンター１４が貨幣処理機１０に対して、締め命令、引渡命令、回収命令、納金命令、出金命令、補充命令、精算命令、両替命令、逆両替命令、枚数計数命令、リセット命令、確定命令、スタート命令、ロック解除命令、およびプログラムダウンロード命令からなる群のうち少なくとも１つの命令に係る信号を送信するようになっている。これらの命令は、上述の各処理における操作部４５の操作に代わるものである。
【００８８】
また、貨幣処理機１０から現金センター１３またはデータセンター１４に、締めデータ、引渡データ、回収データ、リサイクル式貨幣収納部在高データ、納金データ、出金データ、補充データ、精算データ、両替データ、逆両替データ、枚数計数データ、在高データ、システムデータ、障害データ、およびプログラムデータからなる群のうち少なくとも１つのデータに係る信号を送信するようになっている。
【００８９】
このようにデータセンター１４または現金センター１３から貨幣処理機１０の情報を得ることができるので、店舗内に権限のある操作者が常駐していなくとも、貨幣処理システムの運用ができる。各データについて、データを取得した日時や店舗識別情報、貨幣処理機識別情報を含め、いつ、どの貨幣処理機から取得したデータであるかを明確にする。また、締めデータ、引渡データ、回収データ、納金データ、出金データ、補充データ、精算データ、両替データ、逆両替データ、枚数計数データおよび障害データについては、操作者のＩＤ情報等、操作者に関する情報や操作を行った日時も含めることにより、誰がいつどの貨幣処理機１０にどのように貨幣に関する操作を行ったのかを管理することができる。
【００９０】
本実施の形態の貨幣処理機１０においては、収集業者の収集特定者により上述した回収処理の指令が操作部４５を介して制御部１５に対してなされたときに、制御部１５は、貨幣収納部４０の扉のロックを解除し、紙幣収納カセット４１と硬貨収納カセット４２とを取り出し可能とする前に、以下の動作を行うようになっている。すなわち、図５のフローチャートに示すように、制御部１５は、貨幣収納部４０の扉のロックを解除する前に、上述した引渡処理（ＳＴＥＰ２）を自動的に行い、その後、上述した締め処理（ＳＴＥＰ６）を自動的に行い、そしてその後に収集業者の収集特定者が回収処理（ＳＴＥＰ７、８）を行うことができるよう、貨幣処理機１０の各構成要素の制御を行う。なお、制御部１５に回収処理の指令を行う操作者の権限の確認は、例えば収集業者の収集特定者が携帯するＩＤカードのＩＤ情報等をカードリーダ４６で読み取ったり、収集特定者が操作部４５で暗証番号を入力したりすることにより行われる。
【００９１】
貨幣の回収作業についてより詳細に説明すると、回収処理の指令が制御部１５に対してなされたときに（図５のＳＴＥＰ１参照）、まず、紙幣処理装置２０の各リサイクル式紙幣収納部２７や硬貨処理装置３０の各リサイクル式硬貨収納部３４から、貨幣収納部４０に所定の金額または金種毎の枚数の紙幣や硬貨が自動的に引き渡される（図５のＳＴＥＰ２参照）。その後、引渡処理が完了すると、締めデータが自動的に集計され、この締めデータが中央制御装置に送信される（図５のＳＴＥＰ６参照）。なお、引渡処理の最中に貨幣収納部４０の紙幣収納カセット４１や硬貨収納カセット４２が紙幣や硬貨で満杯となった場合の動作については後述する。そして、締め処理が行われた後、制御部１５は貨幣収納部４０の扉のロックを解除し、紙幣収納カセット４１と硬貨収納カセット４２とを取り出し可能とする（図５のＳＴＥＰ７参照）。その後、収集業者の収集特定者が紙幣収納カセット４１や硬貨収納カセット４２を筐体１１から取り出して紙幣や硬貨を回収し、空の紙幣収納カセット４１や硬貨収納カセット４２を貨幣収納部４０に戻してこの貨幣収納部４０を筐体１１にセットし、貨幣収納部４０の扉のロックを再び行う（図５のＳＴＥＰ８参照）。そうすると、貨幣収納部セット検知スイッチＳＷ１により貨幣収納部４０が筐体１１にセットされているか否かが検知されるとともに、紙幣収納カセットセット検知スイッチＳＷ２により紙幣収納カセット４１が貨幣収納部４０に収容されているか否かが検知され、また、硬貨収納カセットセット検知スイッチＳＷ３により硬貨収納カセット４２が貨幣収納部４０に収容されているか否かが検知される。そして、紙幣収納カセット４１および硬貨収納カセット４２が貨幣収納部４０に収容され、さらに貨幣収納部４０が筐体１１にセットされていることが検知されると、紙幣収納カセット４１において、残留検知センサＰＳ４によりステージ４１ａ上に紙幣が残留していないか否かが検知される。ここで、紙幣収納カセット４１においてステージ４１ａ上に紙幣が残留していないことが検知されると、一連の貨幣の回収作業が終了する。
【００９２】
回収処理の指令に連動して貨幣収納部４０に引き渡される紙幣や硬貨の金額または金種毎の枚数である貨幣回収連動引渡量は制御部１５により設定される。より詳細には、この貨幣回収連動引渡量は、以下に示すように、貨幣残置量に基づいての算出、貨幣回収連動引渡量を直接的に設定、あるいは収納カセット４１、４２の空き容量に基づいての算出など、様々な方法により設定可能である。また、貨幣回収連動引渡量は、回収する金額を指定したり、金額を指定したときに高額金種の貨幣を優先して回収するように設定したりすることができるようになっている。
【００９３】
例えば、貨幣回収連動引渡量は、引渡処理が行われた後に（すなわち、回収処理が行われる際に）紙幣処理装置２０の各リサイクル式紙幣収納部２７や硬貨処理装置３０の各リサイクル式硬貨収納部３４に残されるべき紙幣や硬貨の金額または金種毎の枚数である貨幣残置量に基づいて算出されるようになっていてもよい。この際に、貨幣残置量は、予め設定された一定の値であってもよく、あるいは、このような引渡処理が行われる前の貨幣リサイクル部在高に基づいて（例えば、貨幣リサイクル部在高の何割か（例えば、５割）、等）算出されるようになっていてもよい。
【００９４】
あるいは、貨幣回収連動引渡量は、貨幣残置量とは関係なく、予め設定された一定の値であってもよい。
【００９５】
あるいは、貨幣回収連動引渡量は、この引渡処理が行われる前において、前回の引渡処理が行われてから今回の引渡処理が行われるまでの間に前述の納金処理により筐体１１の外部から内部に取り込まれた紙幣や硬貨の金額または金種毎の枚数に基づいて（例えば、このような紙幣や硬貨の金額または金種毎の枚数の全部または何割か（例えば、５割）、等）算出されるようになっていてもよい。
【００９６】
あるいは、貨幣回収連動引渡量は、店舗にあるキャッシュレジスタ１８における売上額に基づいて（例えば、売上高の全部または何割か（例えば、５割）、等）算出されるようになっていてもよい。
【００９７】
あるいは、貨幣回収連動引渡量は、引渡処理が行われる前の貨幣リサイクル部在高に基づいて（例えば、貨幣リサイクル部在高の全部または何割か（例えば、５割））算出されるようになっていてもよい。
【００９８】
あるいは、貨幣回収連動引渡量は、貨幣収納部４０の紙幣収納カセット４１や硬貨収納カセット４２の空き容量に基づいて算出されるようになっていてもよい。すなわち、この場合、回収処理の指令が制御部１５に対してなされたときに、貨幣収納部４０の紙幣収納カセット４１や硬貨収納カセット４２が収納可能な容量分の紙幣や硬貨が、紙幣処理装置２０の各リサイクル式紙幣収納部２７や硬貨処理装置３０の各リサイクル式硬貨収納部３４から、貨幣収納部４０の紙幣収納カセット４１や硬貨収納カセット４２に引き渡されることとなる。収納可能な容量は、紙幣収納カセット４１や硬貨収納カセット４２の容量と貨幣収納部在高との差から算出する。または、紙幣フル検知センサＰＳ２や硬貨フル検知センサＰＳ５により、カセットの満杯が検知されるまで引き渡してもよい。
【００９９】
このように、貨幣回収連動引渡量を設定する方法として、（ｉ）貨幣残置量に基づいて算出する方法、（ｉｉ）貨幣回収連動引渡量を直接的に設定する方法、（ｉｉｉ）収納カセットの空き容量に基づいて算出する方法、の３つの方法を説明したが、これらの方法を単独で用いるのではなく、（ｉ）（ｉｉ）（ｉｉｉ）の３つの方法のうち２つの方法または３つの方法を組み合わせることもできる。
【０１００】
例えば、上述の（ｉ）（ｉｉ）の方法を組み合わせた場合、まず、貨幣回収連動引渡量を直接的に設定し、もし仮にこのような引渡処理が行われたときに貨幣残置量が不足する場合には、貨幣回収連動引渡量から、貨幣残置量における不足している金額または金種毎の枚数を減算するような調整を行う。また、上述の（ｉ）（ｉｉｉ）の方法を組み合わせた場合、まず、貨幣収納部４０の紙幣収納カセット４１や硬貨収納カセット４２の空き容量に基づいて引渡処理における貨幣の引渡額等を算出し、もし仮にこのような引渡処理が行われたときに貨幣残置量が不足する場合には、貨幣回収連動引渡量から、貨幣残置量における不足している金額または金種毎の枚数を減算するような調整を行う。また、（ｉｉ）（ｉｉｉ）の方法を組み合わせた場合、まず、貨幣回収連動引渡量を直接的に設定するが、もし仮にこのような引渡処理が行われたときに貨幣収納部４０の紙幣収納カセット４１や硬貨収納カセット４２が満杯になる場合には、収納できない紙幣や硬貨の金額または金種毎の枚数を貨幣回収連動引渡量から減算する。この減算は、カセット４１、４２の空き容量をもとに引渡処理の前に行ってもよく、あるいはカセット４１、４２が満杯になったことを検知した後に行ってもよい。
【０１０１】
また、回収処理の指令が制御部１５に対してなされた後、上述のような引渡処理を行っている最中に貨幣収納部４０の紙幣収納カセット４１や硬貨収納カセット４２が紙幣や硬貨で満杯となったときには、制御部１５により以下に示すような制御を行うことができる。なお、以下の制御は、紙幣収納カセット４１と硬貨収納カセット４２の両方が満杯になったときに行ってもよく、あるいはいずれか一方の収納カセットが満杯になったときに行ってもよい。また、紙幣収納カセット４１および硬貨収納カセット４２のうち、一方が満杯になり、他方が満杯にならずに引渡処理が終了した場合、満杯になった方の収納カセットについて以下の制御を行う。
【０１０２】
すなわち、引渡処理を行っている最中に貨幣収納部４０の紙幣収納カセット４１や硬貨収納カセット４２が紙幣や硬貨で満杯となったときには（図５のＳＴＥＰ３、４参照）、引渡処理を終了する（図５のＳＴＥＰ５参照）。そして、その後、締め処理を行う（図５のＳＴＥＰ６参照）。そして、制御部１５は貨幣収納部４０の扉のロックを解除し（図５のＳＴＥＰ７参照）、紙幣収納カセット４１と硬貨収納カセット４２とを取り出し可能とする。その後、集業者の収集特定者が紙幣収納カセット４１や硬貨収納カセット４２を筐体１１から取り出してこれらのカセット４１、４２から紙幣や硬貨を回収し、紙幣収納カセット４１や硬貨収納カセット４２を筐体１１に戻して貨幣収納部４０の扉のロックを再び行うと、一連の貨幣の回収作業が終了する（図５のＳＴＥＰ８参照）。
【０１０３】
あるいは、引渡処理を行っている最中に貨幣収納部４０の紙幣収納カセット４１や硬貨収納カセット４２が紙幣や硬貨で満杯となったときに、図５のフローチャートに示す動作以外の動作が行われるようになっていてもよい。例えば、引渡処理を行っている最中に貨幣収納部４０の紙幣収納カセット４１や硬貨収納カセット４２が紙幣や硬貨で満杯となったときに、引渡処理を中断し、その後、締め処理および回収処理を行い、そして、紙幣収納カセット４１や硬貨収納カセット４２が空になった状態で筐体１１に戻された後に、引渡処理を引き続いて行うようになっていてもよい。この場合、引き続き行われる引渡処理が終了した後、そのまま締め処理を行わずに特定収集者による貨幣の回収作業を終了するようにしてもよいし、あるいは、２回目の引渡処理が終了した後、締め処理および回収処理を再度行うようにしてもよい。
【０１０４】
なお、貨幣収納部４０の紙幣収納カセット４１や硬貨収納カセット４２が紙幣や硬貨で満杯となったことは、これらの紙幣収納カセット４１や硬貨収納カセット４２に設けられた紙幣フル検知センサＰＳ２や硬貨フル検知センサＰＳ５により検知されるようになっている。これらの紙幣フル検知センサＰＳ２や硬貨フル検知センサＰＳ５により、紙幣収納カセット４１や硬貨収納カセット４２が紙幣や硬貨で満杯となったか否かを検知する方法は、前述した通りである。あるいは、リサイクル式紙幣収納部２７やリサイクル式硬貨収納部３４から貨幣収納部４０に引き渡される紙幣や硬貨の引渡枚数を制御部１５で積算し、制御部１５による積算結果に基づいて紙幣収納カセット４１や硬貨収納カセット４２が紙幣や硬貨で満杯となったか否かが検知されるようになっていてもよい。
【０１０５】
以上のように、本実施の形態の貨幣処理機１０によれば、少なくともリサイクル式紙幣収納部２７やリサイクル式硬貨収納部３４は第１の管理権限下（店舗側の管理権限下）にあり、貨幣収納部４０は第１の管理権限下とは異なる第２の管理権限下（収集特定者側の管理権限下）にあり、制御部１５は、貨幣収納部４０からの貨幣の回収を可能とする回収処理の指令が制御部１５に対してなされたときに、リサイクル式紙幣収納部２７やリサイクル式硬貨収納部３４に収納された貨幣を貨幣収納部４０へ引き渡す引渡処理を行い、その後回収処理を行うよう、紙幣処理装置２０、硬貨処理装置３０および貨幣収納部４０の制御を行うようになっている。このように、貨幣の回収処理の指令が制御部１５に対してなされたときにまず貨幣の引渡処理が自動的に行われるので、店舗の店員等の第１の管理権限を有する者が貨幣処理機１０に対して操作を行わずとも、収集業者の収集特定者の第２の管理権限を有する者が貨幣処理機１０に対して操作を行うだけで、貨幣の引渡処理を行うことができる。そして、貨幣の回収処理を行う前に貨幣の引渡処理を行うことができるので、貨幣の回収処理を行う直前での時点における貨幣収納部４０に収納される貨幣の量を多くすることができ、できるだけ多くの貨幣を貨幣収納部４０から回収することができる。このことにより、このことにより、貨幣の回収作業の発生頻度を減らすことができる。
【０１０６】
なお、本発明による貨幣処理機は、上記の態様に限定されることはなく、様々な変更を加えることができる。
【０１０７】
例えば、上記の態様においては、貨幣処理機において、紙幣処理装置や硬貨処理装置の管理権限が店舗側にあり、貨幣収納部の管理権限が収集特定者側にある例について説明したが、このような例に限定されることはない。他の貨幣処理機としては、例えば、紙幣処理装置や硬貨処理装置のリサイクル式紙幣収納部やリサイクル式硬貨収納部の管理権限および貨幣収納部の管理権限が両方とも銀行側となっていてもよい。この場合、貨幣収納部からの貨幣の回収作業は収集業者の収集特定者が行うことができるようになっているが、紙幣処理装置や硬貨処理装置のリサイクル式紙幣収納部やリサイクル式硬貨収納部は、店舗側および収集特定者側のどちらも内部に触れることができず、銀行の委託を受けた業者のみが内部に触れることができる。また、リサイクル式紙幣収納部やリサイクル式硬貨収納部から貨幣収納部への引渡命令や貨幣リサイクル部在高のデータの読み出しは、銀行側の権限を持つ人や銀行側のセンターにより行うことができる。
【０１０８】
また、貨幣収納部に紙幣収納カセットや硬貨収納カセット等の収納カセットを設ける代わりに、紙幣収納袋や硬貨収納袋等の収納袋を設けてもよい。この場合でも、紙幣収納袋や硬貨収納袋が紙幣や硬貨で満杯となったときにこのことを検知するための、上述した様々な検知手段が設けられていることが望ましい。
【０１０９】
また、貨幣収納部として、カセットや収納袋等の交換および持ち運びが可能な貨幣収納手段に代えて、固定式の収納部や箱、引き出しタイプの収納部など、筐体に取り付けられた貨幣収納手段を用いてもよい。この場合は、収集特定者が持参した貨幣収納手段に貨幣を移し替えることとなる。
【符号の説明】
【０１１０】
１０  貨幣処理機
１１  筐体
１２  コントローラ
１３  現金センター
１４  データセンター
１５  制御部
１７  コントローラ
１７ａ  プリンタ
１７ｂ  カードリーダ
１７ｃ  スキャナー
１７ｄ  パーソナルコンピュータ
１８  キャッシュレジスタ
２０  紙幣処理装置
２１  紙幣投入口
２２  紙幣リジェクト口
２３  紙幣返却口
２４  扉
２５  搬送部
２６  識別部
２７、２７ａ〜２７ｃ  リサイクル式紙幣収納部
２７ｐ  ドラム
２８  紙幣ステージ
２９  紙幣保留部
２９ａ  一時保留板
２９ｂ  押さえ部材
３０  硬貨処理装置
３１  硬貨投入口
３２  硬貨返却口
３３  硬貨繰出部
３４、３４ａ〜３４ｆ  リサイクル式硬貨収納部
３５  搬送部
３５ａ  識別部
３６  選別孔
３７ａ  硬貨保留部
３７ｂ  シュート
３８  横方向搬送部
３８ａ  循環ベルト
３９  金種別硬貨一時保留部
４０  貨幣収納部
４１  紙幣収納カセット
４１ａ  ステージ
４１ｂ  遮光板
４１ｃ  シャッター
４２  硬貨収納カセット
４２ａ  シャッター
４３  プリンタ
４４  表示部
４５  操作部
４６  カードリーダ
４７  記憶部
ＳＷ１  貨幣収納部セット検知スイッチ
ＳＷ２  紙幣収納カセットセット検知スイッチ
ＳＷ３  硬貨収納カセットセット検知スイッチ
ＰＳ１  ステージ停止センサ
ＰＳ２  紙幣フル検知センサ
ＰＳ３  メカエンドセンサ
ＰＳ４  残留検知センサ
ＰＳ５  硬貨フル検知センサ
【図１Ａ】
2010224605.tif 000003
【図１Ｂ】
2010224605.tif 000004
【図２Ａ】
2010224605.tif 000005
【図２Ｂ】
2010224605.tif 000006
【図３Ａ】
2010224605.tif 000007
【図３Ｂ】
2010224605.tif 000008
【図４】
2010224605.tif 000009
【図５】
2010224605.tif 000010